(57)【要約】【課題】ドライバ部に光が入射することを防止すると共に、照明装置の出射光の光利用効率を向上させる。【解決手段】  透明基板１１と、前記透明基板の一方の面における表示領域以外の位置に配置されて前記画素を駆動するドライバ部１４と、前記透明基板の他方の面側から前記表示領域を照明する照明装置２１と、前記透明基板の他方の面における前記ドライバ部に対応する位置に設けられ、前記照明装置から前記ドライバ部に向かって進行する光を反射させる反射板１９とを具備したことを特徴とする。【選択図】      図１
2007052157.tif 000002
【特許請求の範囲】
【請求項１】
透明基板と、
前記透明基板の一方の面における表示領域以外の位置に配置されて前記画素を駆動するドライバ部と、
前記透明基板の他方の面側から前記表示領域を照明する照明装置と、
前記透明基板の他方の面における前記ドライバ部に対応する位置に設けられ、前記照明装置から前記ドライバ部に向かって進行する光を反射させる反射板と、
を具備したことを特徴とする電気光学装置。
【請求項２】
前記反射板は、前記透明基板の他方の面に対して所定角度傾斜した反射面を有することを特徴とする請求項１に記載の電気光学装置。
【請求項３】
前記照明装置及び前記透明基板が収納されるケース内に、前記透明基板の他方の面に対して所定角度傾斜した反射面を有する第２の反射板を更に具備したことを特徴とする請求項１又は２のいずれか一方に記載の電気光学装置。
【請求項４】
請求項１乃至３に記載の電気光学装置を表示装置として用いたことを特徴とする電子機器。
【発明の詳細な説明】
【技術分野】
【０００１】
本発明は、バックライトの光利用効率を向上させるようにした電気光学装置及び電子機器に関する。
【背景技術】
【０００２】
液晶パネルは、ガラス基板、石英基板等の２枚の基板間に液晶を封入して構成される。各基板には電極を設け、画像信号を電極に供給する。各基板の電極相互間の液晶は、画像信号に応じて光学特性が変化する。即ち、各基板の電極相互間の液晶に画像信号に基づく電圧を印加することで、液晶分子の配列を変化させるのである。これにより、各画素における光の透過率が画像信号に応じて変化することになり、画像信号に応じた画像表示が行われる。
【０００３】
このような液晶パネルにおいて高輝度の表示を行うために、一般的には、液晶パネルの背面にはバックライトが設けられている。このようなバックライトとして、導光板を用いて、照明の均一性を向上させる装置もある。
【０００４】
ところで、電気光学装置においては、画素を駆動するために、ドライバがＣＯＧ（Chip On Glass）技術により実装されている。このドライバ部分に光が入射すると、誤動作が生じる。そこで、液晶パネルをケース等に収納する場合には、このドライバ部分をケース等で覆って、観察面側からの入射光がドライバ部分に入射されないように構成される。
【０００５】
また、バックライトからの光がドライバに入射することも考えられる。そこで、ドライバの形成位置の基板裏面側に、バックライトからの光を遮蔽するテープを貼り付ける方法が採用されることがある。例えば、特許文献１においては、バックライトからドライバに照射される光を遮光する遮光テープを、基板裏面に接着した装置が開示されている。
【特許文献１】特開２００４−２５２０１５号公報
【発明の開示】
【発明が解決しようとする課題】
【０００６】
しかしながら、特許文献１の装置においては、バックライトからの光を遮光テープによってパネル側に入射させないようにしているだけであり、バックライトからの光の利用効率が低いという問題があった。
【０００７】
本発明はかかる問題点に鑑みてなされたものであって、バックライトからの光がドライバに入射することを防止すると共に、バックライトからの光の利用効率を向上させることができる電気光学装置及び電子機器を提供することを目的とする。
【課題を解決するための手段】
【０００８】
本発明に係る電気光学装置は、透明基板と、前記透明基板の一方の面における表示領域以外の位置に配置されて前記画素を駆動するドライバ部と、前記透明基板の他方の面側から前記表示領域を照明する照明装置と、前記透明基板の他方の面における前記ドライバ部に対応する位置に設けられ、前記照明装置から前記ドライバ部に向かって進行する光を反射させる反射板とを具備したことを特徴とする。
【０００９】
このような構成によれば、照明装置は透明基板の他方の面側から表示領域を照明する。表示領域においてはドライバ部によって画素が駆動されて、照明装置からの光の透過率が変化し画像表示が行われる。照明装置からの光はドライバ部方向にも進行する。しかし、透明基板の他方の面におけるドライバ部に対応する位置には、反射板が設けられており、ドライバ部方向に進行した光は反射板にて反射し、ドライバ部に光が入射することが防止される。これにより、ドライバ部が誤動作することを防止することができる。
【００１０】
また、前記反射板は、前記透明基板の他方の面に対して所定角度傾斜した反射面を有することを特徴とする。
【００１１】
このような構成によれば、ドライバ部方向に進行した光は反射板によって反射する。この反射光は、反射板の反射面が透明基板の他方の面に対して所定角度傾斜していることから、反射を繰り返すうちに表示領域に入射する。これにより、照明装置からの光の大部分を表示領域に入射させることができ、光の利用効率が向上する。
【００１２】
また、前記照明装置及び前記透明基板が収納されるケース内に、前記透明基板の他方の面に対して所定角度傾斜した反射面を有する第２の反射板を更に具備したことを特徴とする。
【００１３】
このような構成によれば、ケース内には、透明基板の他方の面に対して所定角度傾斜した反射面を有する第２の反射板が設けられる。透明基板の他方の面の反射板から反射した光は第２の反射板の反射面で反射することにより、表示領域に入射する。これにより、光の利用効率が向上する。
【００１４】
本発明に係る電子機器は、上記電気光学装置を表示装置として用いたことを特徴とする。
【００１５】
このような構成によれば、ドライバ部の誤作動を防止すると共に、光の利用効率が高い表示装置を有する機器が得られる。
【発明を実施するための最良の形態】
【００１６】
以下、図面を参照して本発明の実施の形態について詳細に説明する。図１は本発明の第１の実施の形態に係る電気光学装置の断面構造を示す断面図である。図２は図１の外観を概略的に示す分解斜視図である。本実施の形態は電気光学装置を携帯電話機等の携帯端末装置の表示装置に適用したものである。
【００１７】
本実施の形態の電気光学装置は、表示パネル１１、照明装置２１及びケース３１ａ、３１ｂによって構成される。表示パネル１１は、例えば、液晶パネルである。この場合には、表示パネル１１は、ＴＦＴやＴＦＤ等の素子が形成される素子基板１２と対向基板１３とが、電気光学物質である液晶（図示せず）を介在させて、貼り合わされた構造となっている。
【００１８】
表示パネル１１は、ＦＰＣ（Flexible Printed Circuit）基板１５を介して伝送される画像信号及び各種駆動信号に基づいて、表示領域１１ａにおいて、画像信号に応じた光を透過させて画像表示を行う。
【００１９】
即ち、表示領域１１ａにおいては、短手方向に延在して設けられた図示しない複数の走査線と、長手方向に延在して設けられた図示しない複数のデータ線とを有する。複数の走査線と複数のデータ線との交差に対応して画素が構成される。表示パネル１１の表面（観察面側）には、表示領域以外の領域において、走査線及びデータ線を駆動するドライバ部１４がＣＯＧ技術によって形成されている。ドライバ部１４はデータ線に画像信号を供給し、走査線に走査信号を供給する。こうして、各画素は画像信号に基づいて駆動されて、光の透過率が変化し、画像表示が行われる。
【００２０】
対向基板１３の外側の面（観察面側）には偏光板１８が貼り付けられて、その吸収軸は、対向基板１２に形成した配向膜へのラビング処理の方向に対応して設定されている。また、素子基板１２の外側の面（観察面の反対側の面）には位相差板１６及び偏光板１７が貼り付けられて、その吸収軸は、素子基板１１に形成した配向膜へのラビング処理の方向に対応して設定されている。
【００２１】
ドライバ部１４は、対向基板１３が貼り付けられていない素子基板１２の表面端部に設けられている。素子基板１２の表面端部には、外部との間で各種信号を伝送するための図示しない実装端子が配列されている。外部機器との接続にはＦＰＣ基板１５が採用され、実装端子とＦＰＣ基板１５とは、ＦＰＣ基板に形成されたＡＣＦ（Anisotoropic Conductive Film）（異方性導電膜）を用いて圧着される。
【００２２】
照明装置２１は表示パネル１１の下方から光を出射する。この出射光の透過率を表示領域１１ａにおいて画像信号に応じて制御することによって、画像表示が行われるのである。
【００２３】
照明装置２１は、上面が開口した略箱形状のケース３１ａに収納される。ケース３１ａは、例えば射出成型による樹脂成型品で構成されている。ケース３１ａの一内側面には、光源を構成する複数（図２では３個）の発光ダイオード（以下、ＬＥＤという）２２ａ〜２２ｃ（以下、代表してＬＥＤ２２という）が配置されている。ＬＥＤ２２ａ〜２２ｃは、ケース３１ａの内側に向けて光を出射することができるようになっている。
【００２４】
ケース３１ａ内には、ＬＥＤ２２ａ〜２２ｃの出射面に対向して、導光板２３が設けられている。即ち、導光板２３は、略板形状を有し、その一側面（入射面）がＬＥＤ２２ａ〜２２ｃの出射面に対向するように、ケース３１ａ内に配置される。導光板２３は、例えば、透明なアクリル樹脂で成形されており、ＬＥＤ２２ａ〜２２ｃに面した一側面以外の３つの側面は、高い反射特性又は散乱特性を有する材料、例えば、白色印刷層等の反射層が形成されている。ＬＥＤ２２ａ〜２２ｃに面した導光板２３の一側面からは、ＬＥＤ２２ａ〜２２ｃからの光が入射して、導光板２３の内部に導かれるようになっている。
【００２５】
なお、導光板２３の材質としては、アクリル樹脂の他に、透明性若しくは透光性を有するポリカーボネート樹脂、非晶性ポリオレフィン樹脂などの各種樹脂、ガラスなどの無機材料、またはこれらの各種の複合体を用いることができる。
【００２６】
導光板２３は、底面及び側面の反射層によって、入射光を反射、散乱させ、上面から光を出射するようになっている。導光板２３の上面には、拡散シート２４及びプリズムシート２５が配置される。拡散シート２４及びプリズムシート２５は、導光板２３からの光を拡散して、上方に出射する。プリズムシート２５上には、表示パネル１１が配置される。これにより、拡散シート２４からの光が表示パネル１１の表示領域１１ａに入射されるようになっている。
【００２７】
表示パネル１１の観察面側は、ケース３１ｂによって被覆される。ケース３１ｂとケース３１ａとは嵌合して、ケース３１ａ、３１ｂ内に、照明装置２１及び表示パネル１１が収納される。ケース３１ｂは、表示領域１１ａに対向する部分が開口しており、表示パネル１１の表示領域１１ａを透過した光はケース３１ｂの開口部３１ｃから出射される。
【００２８】
なお、観察面側からは外光が開口部３１ｃを介して表示パネル１１に入射する。しかし、表示パネル１１の上面に形成されたドライバ部１４は、ケース３１ｂに覆われており、上面からの光がドライバ部１４に入射することはない。
【００２９】
本実施の形態においては、ドライバ部１４の形成位置に対応する素子基板１２の裏面側の位置において、反射板１９が形成されている。反射板１９は、素子基板１２の裏面に対して所定角度傾斜した反射面１９ａを有する。反射板１９は、照明装置２１に対してドライバ部１４を覆うように形成されており、照明装置２１からドライバ部１４に向かって進行する光を反射させるようになっている。反射面１９ａは、反射した光を表示領域１１ｃに向かわせる方向に傾斜している。
【００３０】
反射面１９ａが、素子基板１２の裏面に対して所定角度傾斜していることから、反射面１９ａにおいて反射した光は、ケース３１ａの内壁面を含む照明装置２１の各部及び反射面１９ａを含む素子基板１２の裏面で反射を繰り返し、最終的に素子基板１２の表示領域１１ａに入射するようになっている。
【００３１】
次に、このように構成された実施の形態の動作について説明する。
【００３２】
表示を行う場合には、照明装置２１のＬＥＤ２２を点灯させる。ＬＥＤ２２ａ〜２２ｃからの光は、導光板２３によって、反射、散乱され、導光板２３の上面から上方に向けて出射される。導光板２３を出射した光は、拡散シート２４及びプリズムシート２５によって拡散されて、表示パネル１１に入射する。
【００３３】
一方、表示パネル１１には、ＦＰＣ基板１５を介して画像信号が入力されている。この画像信号はドライバ部１４に供給され、ドライバ部１４は、走査線に走査信号を供給し、データ線に画像信号を供給して、表示領域１１ａにおいて画像表示を行う。
【００３４】
表示パネル１１の表示領域１１ａは、画像信号に応じて画素毎に光の透過率が変化する。これにより、照明装置２１からの光が画像信号によって変調され、表示領域１１ａ上には画像信号に基づく画像が表示される。観察面側から表示領域１１ａを見ることで、画像を認識することができる。
【００３５】
ところで、照明装置２１の導光板２３から出射された光は、表示領域１１ａに入射するだけでなく、素子基板１２の裏面の他の部分にも照射される。しかし、ドライバ部１４に対向する素子基板１２裏面には、反射板１９が形成されている。即ち、照明装置２１からドライバ部１４への光路途中に反射板１９が形成されているので、照明装置２１からの光がドライバ部１４に入射することが防止される。
【００３６】
更に、反射板１９の反射面１９ａは、素子基板１２の裏面に対して所定角度傾斜している。従って、反射面１９ａから反射した光は、素子基板１２の裏面に対して所定角度傾斜して進行する。即ち、反射面１９ａからの反射光は、ケース１３ａの内壁面、ＬＥＤ２２及び導光板２３を含む照明装置２１の各部及び素子基板１２の裏面で反射を繰り返して、最終的には素子基板１２の表示領域１１ａに入射する。
【００３７】
こうして、導光板２３からの出射光の大部分は、直接又は間接的に表示領域１１ａに入射されることになる。こうして、表示パネル１１において、十分な輝度の画像表示が行われる。
【００３８】
このように本実施の形態においては、反射板によって、ドライバ部方向に進行した光を反射させて表示領域に入射させることができ、ドライブの誤動作を防止すると共に、光の利用効率を向上させることができる。
【００３９】
図３は本発明の第２の実施の形態に係る電気光学装置の断面構造を示す断面図である。図３において図１と同一の構成要素には同一符号を付して説明を省略する。
【００４０】
本実施の形態は反射板１９に代えて反射板４１を採用すると共に、反射板４２を付加した点が第１の実施の形態と異なる。反射板４１はドライバ部１４に対向する素子基板１２の裏面側に設けられており、反射面４１ａが素子基板１２の裏面と平行な面で構成されている。反射板４２は、ケース３１ａの内壁面及び底面に掛け渡すように配置されて、素子基板１２の裏面に所定角度傾斜した反射面４２ａを有する。
【００４１】
なお、反射板４１は素子基板１２の裏面に平行な反射面４１ａを有するものとして説明したが、第１の実施の形態と同様に、素子基板１２の裏面に所定角度傾斜した反射面を有するものであってもよい。
【００４２】
このように構成された実施の形態においても、素子基板１２の裏面のドライバ部１４に対向する位置に反射板４１が設けられていることから、導光板２３からの出射光のうち、ドライバ部１４方向に向かう光は、反射板４１によって反射される。これにより、ドライバ部１４に導光板２３からの光が入射することが防止される。
【００４３】
更に、反射板４１によって反射された光のうちの一部は、反射板４２に向かって進行する。反射板４２は、素子基板１２の裏面に所定角度傾斜した反射面４２ａを有しており、反射板４２に進行した光は、反射面４２ａによって反射され、反射板４１、ケース３１ａの内壁面、及びＬＥＤを含む照明装置２１の各部において反射して、最終的には表示領域１１ａに入射する。
【００４４】
これにより、本実施の形態においても、導光板２３からの出射光の大部分が直接又は間接的に表示領域１１ａに入射されることになる。こうして、表示パネル１１において、十分な輝度の画像表示が行われる。
【００４５】
また、上述の電気光学装置を用いた電子機器も本発明に含まれる。図４は電子機器の例を示す斜視図であり、携帯電話の外観を示している。図４に示すように、電子機器として携帯電話２００の表示部２０１に、上述した電気光学装置、例えば液晶表示装置が用いられる。
【００４６】
他にも、電子機器としては、例えば、光源と該光源から出射された光を変調するライトバルブと、該ライトバルブにより変調された光を投射するための光学系を備えた、投射型表示装置がある。さらに、電子機器としては、他にも、テレビジョンや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【００４７】
なお、本発明の電気光学装置は、アクティブマトリクス型の液晶パネル（例えば、ＴＦＴ（薄膜トランジスタ）やＴＦＤ（薄膜ダイオード）をスイッチング素子として備えた液晶表示パネル）だけでなく、パッシブマトリクス型の液晶表示パネルにも同様に適用することが可能である。また、液晶表示パネルだけでなく、エレクトロルミネッセンス装置、有機エレクトロルミネッセンス装置、プラズマディスプレイ装置、電気泳動ディスプレイ装置、電子放出を用いた装置（Field Emission Display 及び Surface-Conduction Electron-Emitter Display 等）、ＤＰＬ（Digital Light Processing）（別名ＤＭＤ：Digital Micromirror Device）等の各種の電気光学装置においても本発明を同様に適用することが可能である。
【図面の簡単な説明】
【００４８】
【図１】本発明の第１の実施の形態に係る電気光学装置の断面構造を示す断面図。
【図２】図１の外観を概略的に示す分解斜視図。
【図３】本発明の第２の実施の形態に係る電気光学装置の断面構造を示す断面図。
【図４】電子機器の例を示す斜視図。
【符号の説明】
【００４９】
１１…表示パネル、１１ａ…表示領域、１４…ドライバ部、１９…反射板、２２…照明装置、２２ａ〜２２ｃ…ＬＥＤ。  
【図１】
2007052157.tif 000003
【図２】
2007052157.tif 000004
【図３】
2007052157.tif 000005
【図４】
2007052157.tif 000006